(57)【要約】【課題】特に肢体の不自由な人にとっても衣類の着脱が容易にできる衣類を提供する。【解決手段】下着、中着又は上着なる衣類において、前半分衣類１及び後半分衣類２の部分衣類を作り、上記前半分衣類１と上記後半分衣類２に取り付けられたそれぞれ対応する複数個のファスナー３でもって上記前半分衣類１と上記後半分衣類２とを結び合わせることにより、特に肢体が不自由な人にとっても衣類の着脱が容易にできる衣類を提供することで上記課題を解決する。【選択図】  図３
2013237946.tif 000002
【特許請求の範囲】
【請求項１】
下着、中着又は上着なる衣類において、前半分衣類（１）及び後半分衣類（２）の部分衣類を作り、上記前半分衣類（１）と上記後半分衣類（２）に取り付けられたそれぞれ対応する複数個のファスナー（３）でもって上記前半分衣類（１）と上記後半分衣類（２）とを結び合わせることを特徴とする着脱が容易な衣類。
【発明の詳細な説明】
【技術分野】
【０００１】
本発明は着脱が容易な衣類に関する。
【背景技術】
【０００２】
従来の衣類には、下着ではファスナーを使用した衣類はなく、上着の一つであるジャンパーでは前面に１つのファスナーを使用した衣類がある。しかし、特に肢体が不自由な人にとっては衣類の着脱が困難であった。
【発明の概要】
【発明が解決しようとする課題】
【０００３】
従って、特に肢体が不自由な人にとっても衣類の着脱が容易にできる衣類を提供する。
【課題を解決するための手段】
【０００４】
本発明は、下着、中着又は上着なる衣類において、前半分衣類（１）及び後半分衣類（２）の部分衣類を作り、上記前半分衣類（１）と上記後半分衣類（２）に取り付けられたそれぞれ対応する複数個のファスナー（３）でもって上記前半分衣類（１）と上記後半分衣類（２）とを結び合わせることにより、特に肢体が不自由な人にとっても衣類の着脱が容易にできる衣類を提供することで上記課題を解決する。
【０００５】
本発明は、まず、衣類を着るのに介護を必要とする殆ど寝たきりであるような肢体の不自由な人の場合には、後半分衣類（２）を下に置きその上に肢体の不自由な人が寝その上に前半分衣類（１）を置き肢体の不自由な人を介護する人が前半分衣類（１）及び後半分衣類（２）に取り付けられたそれぞれ対応する複数個のファスナー（３）でもって前半分衣類（１）と後半分衣類（２）とを結び合わせ、殆ど寝たきりであるような肢体の不自由な人に衣類を着せることが容易にできるようにした衣類である。
【０００６】
又、健常者の場合には、前半分衣類（１）と後半分衣類（２）を着る前にあらかじめそれぞれ対応するファスナー（３）でもって健常者が前半分衣類（１）と後半分衣類（２）を結び合わせて置きファスナーを使用してない従来の衣類のように健常者が衣類を着ることができることはもちろんである。
【０００７】
更に、殆ど寝たきりであるような肢体の不自由な人と健常者との中間の肢体の不自由な人の場合には、肢体の不自由な程度に応じて前半分衣類（１）と後半分衣類（２）を着る前にあらかじめ部分的にそれぞれ対応するファスナー（３）でもって結び合わせて置き中間の肢体の不自由な人が衣類を身につけてから残りのそれぞれ対応するファスナー（３）で前半分衣類（１）と後半分衣類（２）を完全に結び合わせ衣類を着ることの完了とすればよい。健常者の場合も必要に応じて同様にすればよい。
【０００８】
本発明になる衣類を脱ぐときには、着る場合の逆をたどっていけば容易に脱げる。
【０００９】
ファスナー（３）の小片の材料は、錆びもせず、肌に触っても冷たくなく、更に、危険でもないプラスチックにするとよい。
【００１０】
適用される衣類としては、ズロース、ブリーフ、トランクス、猿股、ステテコ、股引、寝間着、セーター、ズボン、スカート、各種シャツ、トレイニングウエアー、ジャケット、ジャンパー又はオーバーコート等全て身につける衣類が含まれる。
【発明の効果】
【００１１】
上記のようにすれば、特に肢体が不自由な人にとっても衣類の着脱が容易にできる。又
、肢体の不自由な人は地味な衣類を着がちであり、気が滅入りがちである。本発明になる着脱が容易な衣類を着れば派手な衣類も楽しめて気が晴れる。更に、肢体の不自由な人の場合も健常者の場合も新しいファッションを楽しむことができる。
【図面の簡単な説明】
【００１２】
【図１】本発明になる下着の場合の後半分衣類の正面図である。
【図２】本発明になる下着の場合の前半分衣類の正面図である。
【図３】本発明になる下着を人が着た場合の上半身の正面図である。
【図４】本発明になるズボンの場合の正面図である。
【図５】本発明になるトランクスの場合の正面図である。
【図６】図５におけるＡの部分の拡大側面図である。
【発明を実施するための形態】
【００１３】
以下、本発明の実施の形態を概略図である図１〜図６に基づいて説明する。図１〜図６では平面的に示したが、実際には立体裁断されるべきものである。
【実施例】
【００１４】
図１と図２において、下着の場合の後半分衣類２に取り付けられたそれぞれ四個のファスナー３のファスナーの一部３ａの始点と、下着の場合の前半分衣類１に取り付けられたそれに対応するファスナーの他の一部３ｂの始点を合わせる。そして、ファスナーのつまみ３ｃをつまんで動かしファスナー３を閉じる。図１では、ファスナーのつまみ３ｃは後半分衣類２に取り付けてあるが後半分衣類２ではなく前半分衣類１に取り付けてもよい。
【００１５】
図３は、それぞれのファスナー３で閉じられた前半分衣類１と後ろに隠れている後半分衣類２からなる下着を人が着た場合の上半身の正面図である。図３では、ファスナーのつまみ３ｃは手側に、つまりファスナー３の終点は手側に記入してあるが首側にもってこようと構わない。又、腰側に記入してあるファスナーのつまみ３ｃも手側に、つまりファスナー３の終点も手側にもってこようと構わない。ただ、袖をまくりたい時もあろうから、ファスナーのつまみ３ｃは手側に、つまりファスナー３の終点は手側にあったほうがよいと思われる。
【００１６】
更に、図３では、両腕を広げている所を図示したが別に腕は上げようと下げようと曲げようと自由である。
【００１７】
図４は、それぞれのファスナー３で閉じられた前半分衣類１と前半分衣類１の後ろに隠れている後半分衣類２からなるズボンの場合の正面図である。図４では、ファスナーのつまみ３ｃは股側では右（向かって左）足の下側に、つまりファスナー３の終点は股側では右足の下側に記入してあるが別に左足の下側にもってこようと構わない。又、外側のファスナーのつまみ３ｃは両方とも下側に、つまりファスナー３の終点は両方とも下側に記入してあるが別に腰側にもってこようと構わない。
【００１８】
図５は、ゴムテープ４のついたトランクスの場合の正面図である。図４の場合と同様に、後半分衣類２は前半分衣類１の後ろに隠れている。
【００１９】
図６は、図５における右（向かって左）腰部Ａの部分の拡大側面図である。図示はしてないが左腰部も同様である。まず、右腰部の前半分衣類１に取り付けてあるボタン６を後半分衣類２に取り付けてある布５に付けられたボタン穴にはめる。左腰部についても同様にする。そして、右腰部のファスナー３を閉じる。左腰部のファスナーについても同様にする。
又、後半分衣類２に取り付けてあるボタン穴の付けられた布５は、布でなく紐の輪であってもボタンをとめられればよい
【符号の説明】
【００２０】
１      前半分衣類
２      後半分衣類
３      ファスナー
３ａ    ファスナーの一部
３ｂ    ファスナーの他の一部
３ｃ    ファスナーのつまみ
４      ゴムテープ
５      後半分衣類２に取り付けてあるボタン穴の付けられた布
６      前半分衣類１に取り付けてあるボタン
【図１】
2013237946.tif 000003
【図２】
2013237946.tif 000004
【図３】
2013237946.tif 000005
【図４】
2013237946.tif 000006
【図５】
2013237946.tif 000007
【図６】
2013237946.tif 000008